(57)【要約】【課題】ポケット部内の酸素濃度を低減でき、薬剤などの収容物を長期間変質させることのないＰＴＰ包装体を提供する。【解決手段】本発明のＰＴＰ包装体１は、収納物を収納するポケット部４を有する底材２と、前記ポケット部４を被覆する蓋材３とを備え、底材２、蓋材３の両方又はいずれか一方を、酸素吸収剤を含ませた酸素吸収層を備えたシート材で形成したことを特徴とするものである。  このＰＴＰ包装体１は、ポケット部４内の酸素を酸素吸収剤が吸収し、ポケット部４内の酸素濃度を低減することができるものである。【選択図】図２
2011042371.tif 000002
【特許請求の範囲】
【請求項１】
収納物を収納するポケット部を有する底材と、前記ポケット部を被覆する蓋材とを備えたＰＴＰ包装体において、底材、蓋材の両方又はいずれか一方を、酸素吸収剤を含ませた酸素吸収層を備えたシート材で形成したＰＴＰ包装体。
【請求項２】
前記シート材は、前記酸素吸収層の外側にアルミ層を備えたものである請求項１に記載のＰＴＰ包装体。
【請求項３】
前記シート材は、最内層に、ポリエチレン、ポリプロピレン、ポリ塩化ビニルのいずれかからなる層を備えたものである請求項１又は２に記載のＰＴＰ包装体。
【発明の詳細な説明】
【技術分野】
【０００１】
本発明は、錠剤、カプセル剤などの薬剤等の包装に適したＰＴＰ（プレススルーパッケージ）包装体に関する。
【背景技術】
【０００２】
ＰＴＰ包装体は、錠剤、カプセル剤などの薬剤や菓子類などの食品等の包装として広く用いられている。
ＰＴＰ包装体は、例えば、塩化ビニル（ＰＶＣ）などからなるプラスチックシートに凹形のポケット部を成形し、このシートを底材としてポケット部に薬剤などを収納し、アルミ箔などからなる蓋材でポケット部を被覆するとともにポケット部以外の平面部にヒートシールなどして作製することができる。
このようなＰＴＰ包装体は、ポケット部を指先で押すことにより、その部分の蓋材が破れて収納物を容易に取り出すことができるものである。
【０００３】
ＰＴＰ包装体は、収納物の品質を長期間維持できるように湿気や酸素などを透過させないことが好ましい。このため、底材や蓋材に湿気や空気を透過させないアルミ箔などを積層したものが作製されている。
しかし、底材や蓋材にアルミ箔などを積層したとしても、図５に示すように、シール部分の端面から湿気や酸素などが入り込み、時間の経過とともにポケット部まで透過してしまうことがあった。
そこで、シール層を、湿気を透過させないポリクロロトリフルオロエチレン（ＰＣＴＦＥ）で作製したＰＴＰ包装体が開発され、湿気がポケット部にまで透過することを防止している（下記特許文献１参照）。
【先行技術文献】
【特許文献】
【０００４】
【特許文献１】特表２００９−５１１３１０号公報
【発明の概要】
【発明が解決しようとする課題】
【０００５】
上記特許文献１のＰＴＰ包装体は、湿気の透過を防止できるが、酸素などの透過に関しては考慮されているものではなかった。
最近では、酸素により変質しやすい薬剤が開発されており、できるだけポケット部内には酸素がないことが好ましい。
【０００６】
そこで、本発明の目的は、ポケット部内の酸素濃度を低減できるＰＴＰ包装体を提供することにある。
【課題を解決するための手段】
【０００７】
本発明のＰＴＰ包装体は、収納物を収納するポケット部を有する底材と、前記ポケット部を被覆する蓋材とを備えたＰＴＰ包装体において、底材、蓋材の両方又はいずれか一方を、酸素吸収剤を含ませた酸素吸収層を備えたシート材で形成したことを特徴とするものである。
【０００８】
本発明のＰＴＰ包装体は、底材、蓋材の両方又はいずれか一方を、酸素吸収剤を含ませた酸素吸収層を備えたシート材で形成したため、ポケット部内の酸素を酸素吸収剤が吸収し、ポケット部内の酸素濃度を低減することができ、薬剤などの収容物を長期間変質させることがない。
【図面の簡単な説明】
【０００９】
【図１】本発明の一実施形態のＰＴＰ包装体を示した斜視図である。
【図２】図１のＰＴＰ包装体の横断面図である。
【図３】図１のＰＴＰ包装体の底材に用いるシート材の一例を模式的に示した断面図である。
【図４】図１のＰＴＰ包装体の蓋材に用いるシート材の一例を模式的に示した断面図である。
【図５】従来のＰＴＰ包装体の一例を示した周縁部付近の部分拡大断面図である。
【発明を実施するための形態】
【００１０】
以下、本発明を、ＰＴＰ包装体の一実施形態に基づいて説明する。但し、本発明は本実施形態に限定されるものではない。
【００１１】
本発明の一実施形態のＰＴＰ包装体１は、図１又は２に示すように、底材２と、蓋材３とを備えたものであり、底材２、蓋材３の両方又はいずれか一方を、酸素吸収剤を含む酸素吸収層を備えたシート材で形成したことを特徴とする。
【００１２】
底材２は、矩形状のシート材に真空成形などで薬剤５などの収容物を収容する円形凹状のポケット部４を形成したものである。
【００１３】
底材２は、酸素吸収層、樹脂フィルム、アルミ層などを備えたシート材から形成することができ、樹脂フィルムのみで形成することもできる。さらに、ポリクロロトリフルオロエチレンフィルムなど湿気を吸収する層を備えることもできる。アルミ層と酸素吸収層とをともに備える場合は、アルミ層よりも内側に酸素吸収層が位置するように形成する。底材２の厚みは、１２０μｍ〜２２０μｍ、特に１３０μｍ〜２００μｍにするのが好ましい。
【００１４】
酸素吸収層は、酸素吸収剤を含有させた樹脂からなる層であり、例えば、ポリプロピレン（ＰＰ）、ポリエチレン（ＰＥ）、エチレン−ビニルアルコール共重合樹脂（ＥＶＯＨ）などの樹脂に酸素吸収剤を含有させたフィルムから形成することができる。
酸素吸収剤としては、還元鉄、亜硫酸ナトリウムなどの亜硫酸塩、アスコルビン酸、ＭＸＤ６ナイロン、ポリブタジエンなどのエチレン性不飽和炭化水素等を挙げることができる。
酸素吸収剤は、酸素吸収層中に５〜３０重量％、特に１０〜２０重量％含有させるのが好ましい。
樹脂に酸素吸収剤を含有させたフィルムは、例えば、酸素吸収剤を樹脂に混錬してペレット化し、押出しすることにより作製できる。
【００１５】
樹脂フィルムとしては、従来からＰＴＰ包装体に用いられているフィルムを用いることができ、例えば、２軸延伸ナイロン、無延伸ナイロン、ポリエチレンテレフタレート（ＰＥＴ）フィルム、ポリプロピレン（ＰＰ）フィルム、ポリエチレン（ＰＥ）フィルムなどを用いることができる。
【００１６】
アルミ層は、樹脂フィルムにアルミを蒸着させたり、アルミ箔を積層したりして形成することができる。
【００１７】
底材２に用いるシート材の一例としては、図３に示すように、外側から、ナイロンフィルムで形成したナイロン層２１、アルミ箔で形成したアルミ層２２、ポリエチレンフィルムで形成したポリエチレン層２３、ポリエチレンに還元鉄を含有させたフィルムで形成した酸素吸収層２４、ポリエチレンフィルムで形成したポリエチレン層２５の順に積層したものを用いることができる。
ポリエチレン層２３／酸素吸収層２４／ポリエチレン層２５は、多層共押出しにより作製することができる。また、ポリエチレンの代わりにポリプロピレンを用いてもよい。酸素吸収速度を調整するため、エバール（商品名）などのＥＶＯＨを用い、ポリエチレン／ＥＶＯＨ＋酸素吸収剤／ポリエチレンの多層共押出しフィルムなどを用いることもできる。この場合も、ポリエチレンの代わりにポリプロピレンでもよい。酸素吸収速度を遅らせる場合は、ＥＶＯＨ／ＥＶＯＨ＋酸素吸収剤／ＥＶＯＨの多層共押出しフィルムなどを用いることができる。これらの層構成は、包装する医薬品などの収容物との兼ね合いによる。
【００１８】
底材２の最内層を酸素吸収層にするとポケット部４内に収容した薬剤５と反応してしまうおそれがあるので、最内層は、ポリエチレンフィルム、ポリプロピレンフィルム、ポリ塩化ビニルフィルムなど収容した薬剤と反応せずかつヒートシールできるフィルムを用いるのが好ましい。
【００１９】
蓋材３は、矩形状のシート材で形成してあり、底材２のポケット部４以外の上面に、ヒートシールや接着剤などで貼付して、ポケット部６を被覆するものである。
【００２０】
蓋材３は、酸素吸収層、樹脂フィルム、アルミ層などを備えたシート材から形成することができ、樹脂フィルムのみで形成することもでき、また、アルミ層の単層とすることもできる。さらに、ポリクロロトリフルオロエチレンフィルムなど湿気を吸収する層を備えることもできる。アルミ層と酸素吸収層とをともに備える場合は、アルミ層よりも内側に酸素吸収層が位置するように形成する。蓋材３の厚みは、２０μｍ〜４０μｍ、特に２２μｍ〜３０μｍにするのが好ましい。
【００２１】
酸素吸収層は、酸素吸収剤を含有させた樹脂からなる層であり、例えば、ポリプロピレン（ＰＰ）、ポリエチレン（ＰＥ）、エチレン−ビニルアルコール共重合樹脂（ＥＶＯＨ）などの樹脂に酸素吸収材を含有させたフィルムから形成することができる。
酸素吸収剤としては、還元鉄、亜硫酸ナトリウムなどの亜硫酸塩、アスコルビン酸、ＭＸＤ６ナイロン、ポリブタジエンなどのエチレン性不飽和炭化水素等を挙げることができる。
酸素吸収剤は、酸素吸収層中に５〜３０重量％、特に１０〜２０重量％含有させるのが好ましい。
樹脂に酸素吸収剤を含有させたフィルムは、例えば、酸素吸収剤を樹脂に混錬してペレット化し、押出しすることにより作製できる。
【００２２】
樹脂フィルムとしては、従来からＰＴＰ包装体に用いられているフィルムを用いることができ、例えば、２軸延伸ナイロン、無延伸ナイロン、ポリエチレンテレフタレート（ＰＥＴ）フィルム、ポリプロピレン（ＰＰ）フィルム、ポリエチレン（ＰＥ）フィルムなどを用いることができる。
【００２３】
アルミ層は、樹脂フィルムにアルミを蒸着させたり、アルミ箔を積層したりして形成することができる。
【００２４】
蓋材３に用いるシート材の一例としては、図４に示すように、外側から、アルミ箔で形成したアルミ層３１、ポリエチレンフィルム３２、ポリエチレンに還元鉄を含有させたフィルムで形成した酸素吸収層３３、ポリエチレンフィルム３４の順に積層したものを用いることができる。
【００２５】
蓋材３の最内層を酸素吸収層にするとポケット部４内に収容した薬剤５と反応してしまうおそれがあるので、最内層は、ポリエチレンフィルム、ポリプロピレンフィルム、ポリ塩化ビニルフィルムなど収容した薬剤と反応せずかつヒートシールできるフィルムを用いるのが好ましい。
【００２６】
ＰＴＰ包装体１は、底材２、蓋材３の両方又はいずれか一方を、酸素吸収剤を含む酸素吸収層を備えたシート材で形成したため、ポケット部４内の酸素を吸収することができ、ポケット部４内の酸素濃度を低減することができる。そのため、ポケット部４内に収容した薬剤などを長期間変質させることなく保存できる。
【符号の説明】
【００２７】
１ＰＴＰ包装体  ２底材  ３蓋材  ４ポケット部
【図１】
2011042371.tif 000003
【図２】
2011042371.tif 000004
【図３】
2011042371.tif 000005
【図４】
2011042371.tif 000006
【図５】
2011042371.tif 000007
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
収納物を収納するポケット部を有する底材と、前記ポケット部を被覆する蓋材とを備えたＰＴＰ包装体において、底材、蓋材の両方又はいずれか一方を、酸素吸収剤を含ませた酸素吸収層を備えたシート材で形成したＰＴＰ包装体。
【請求項２】
前記シート材は、湿気吸収層を備えたものである請求項１に記載のＰＴＰ包装体。
【請求項３】
前記シート材は、前記酸素吸収層の外側にアルミ層を備えたものである請求項１又は２に記載のＰＴＰ包装体。
【請求項４】
前記シート材は、最内層に、ポリエチレン、ポリプロピレン、ポリ塩化ビニルのいずれかからなる層を備えたものである請求項１〜３のいずれかに記載のＰＴＰ包装体。